(57)【要約】【課題】ロールペーパーから引き出した紙を片手で良好に切断することができる紙切板の提供。【解決手段】ロールペーパー２０から引き出した紙２１を切断するために、紙切板８の前端縁に沿って多数列設される刃１０，１０，１０が、樹脂で形成され、それぞれの刃１０は、正面から見て、水平面を成す上面９ａの左右両端から下方の紙側に向かって傾斜する傾斜面１０ｃ，１０ｃが形成され、その下端が紙に刺さり込む鋭利な突起１０ｂを形成している。【選択図】　　　　　　　　図３
2004081630.tif 000002
【特許請求の範囲】
【請求項１】
ロールペーパーから引き出された紙を切断するために、紙切板の前端縁に沿って多数列設される刃が、樹脂で形成され、それぞれの刃は、正面から見て、水平面を成す上面の左右両端から下方の前記紙側に向かって傾斜し、下端が紙に刺さり込む鋭利な突起を形成していることを特徴とする紙切板。
【請求項２】
前記刃と刃の間の上面には、後方側へ向かって切込溝が形成されて、各刃が独立して上方へ持ち上がるように構成したことを特徴とする請求項１に記載の紙切板。
【請求項３】
前記請求項１または請求項２に記載の紙切板を備えたことを特徴とする紙巻器。
【請求項４】
前記紙切板が、ロールペーパーの上面に加圧される加圧式であることを特徴とする請求項３に記載の紙巻器。
【発明の詳細な説明】
【０００１】
【発明の属する技術分野】
この発明は、紙切板およびそれを備えた紙巻器に関するものである。
【０００２】
【従来の技術及び発明が解決しようとする課題】
従来、紙巻器は、片手で紙切板を押さえつつ、もう一方の手で紙を切るタイプのものが殆どであるが、片手操作で紙を切ることのできる加圧式の紙切板を備えたものも存在する。
なお、加圧式の紙切板の場合には、その先端に刃が無いと紙が滑って切れないため、紙切板の先端に刃が必要となる。しかし、紙切板の先端に硬い刃部を設けると、強く手を当ててしまった時、問題が生じることとなる。
なお、刃を備えた紙切板としては、例えば特開平８−１８２６３４号公報に開示されているようなものが存在する。
【０００３】
【課題を解決するための手段】
本発明は、上記従来の問題点に鑑み案出したものであって、ロールペーパーから紙を引き出して良好に紙を切ることができる紙切板およびそれを備えた紙巻器を提供せんことを目的とし、その第１の要旨は、ロールペーパーから引き出された紙を切断するために、紙切板の前端縁に沿って多数列設される刃が、樹脂で形成され、それぞれの刃は、正面から見て、水平面を成す上面の左右両端から下方の前記紙側に向かって傾斜し、下端が紙に刺さり込む鋭利な突起を形成していることである。
また第２の要旨は、前記刃と刃の間の上面には、後方側へ向かって切込溝が形成されて、各刃が独立して上方へ持ち上がるように構成したことである。
また第３の要旨は、前記請求項１または請求項２に記載の紙切板を備えた紙巻器に存する。
また第４の要旨は、前記紙切板が、ロールペーパーの上面に加圧される加圧式であることである。
【０００４】
【発明の実施の形態】
以下、本発明の実施例を図面に基づいて説明する。
図１は、紙巻器の縦断面構成図であり、紙巻器１は、固定ネジ３，３を介してトイレの壁面等に固設される背板２と、天板４と、左右の側板５を備えており、側板５には支持アーム６がそれぞれ設けられている。
また、回動軸７を介して上下方向に回動できる紙切板８が設けられており、紙切板８の前端縁には嵌合溝８ａが形成されて、この嵌合溝８ａ内に刃板９が嵌め込まれている。
この紙切板８は、例えば回動軸７にバネ等を設けて、ロールペーパー２０の上面に加圧される構造となっている。
ロールペーパー２０は、その中心の芯孔２０ａを、前記支持アーム６に掛止して、紙巻器１に取り付けることができ、適宜前方側へ紙２１を引き出して、図１のように紙２１を上方へ持ち上げ、片手で良好に刃板９で紙２１を切断できるように構成されている。
【０００５】
刃板９は、例えばエラストマー系の軟質の樹脂で形成されており、ショワ硬さが例えば５０〜９０程度に設定されている。
この刃板９を斜め上から見た状態を図２に示し、図３には、その拡大図を示す。また図４では、刃板９を斜め下方側から見上げた状態を示しており、図５では、刃板９を裏返した状態を示している。
更に、刃板９の平面図を図６に示し、図７では正面図を、また図８では裏面図を示している。
【０００６】
刃板９の上面（表面）９ａは、平らな水平面に形成されており、その前端側から後方側に向かって切込溝９ｂが、長手方向に沿って所定間隔で切込み状に多数形成されており、この各切込溝９ｂ，９ｂ間に、刃１０がそれぞれ下方側に向かって形成されている。
即ち、刃板９の上面９ａ前端に、切込溝９ｂ，９ｂから下方側に向かって対向状に傾斜して、左右の傾斜面１０ｃ，１０ｃが形成されており、この傾斜面１０ｃ，１０ｃの交わる下端は、鋭利な突起１０ｂを形成している。なお、各刃１０，１０間は裏側から楔状に抉られて、楔状凹部９ｃが裏側に形成されている。
【０００７】
従って、各刃１０は、正面から見て、その上面９ａは平らな水平面を成し、左右両端から下方側へ傾斜面１０ｃ，１０ｃが形成されて、各刃１０の前端は垂直に下方へ向かう逆三角形状の三角状面１０ａを形成しており、この三角状面１０ａの下端が鋭利な突起１０ｂとなっている。
なお、正面から見た場合には、三角状面１０ａが横方向に連続し、裏面側に突起１０ｂ，１０ｂ，１０ｂが横方向に列設された状態を成し、鋭利な突起１０ｂは裏側であるため、手が触れることはなく、しかも、刃板９全体は軟質の樹脂で形成されているため、安心である。
また、上面側から見た場合に、突起１０ｂは隠れた状態となり、上面９ａは平らであるため、スッキリとした形状を成す。
【０００８】
なお、図６，図７，図８に示すように、切込溝９ｂ，９ｂ間は略３ｍｍ程度に設定されており、刃板９の上下方向の厚みは２ｍｍ程度に設定されている。更に切込溝９ｂは、その溝幅が０．２ｍｍ〜１．５ｍｍ程度に設定され、後方側へ３ｍｍ程度延びて切り込まれたものとなっている。
なお、刃板９の前後幅は１０ｍｍに設定されており、後端側を、紙切板８の前端縁に凹み状に形成された嵌合溝８ａ内に嵌め込んで、紙切板８の前端に刃板９を挿着できるものであり、挿着状態においては、紙切板８の前端縁に沿って多数の刃１０，１０，１０が列設された状態となる。
【０００９】
ロールペーパー２０から紙２１を引き出す際には、紙２１と紙切板８の接触面積は極めて小さいために、軽い力で紙２１を引き出すことができ、その状態で、図３のように紙２１を上方へ引き上げると、鋭利な突起１０ｂが点接触で次々と紙２１に刺さり込んで、良好に刃１０に紙２１が引っ掛かり、紙２１が滑ることがない。
紙２１を更に持ち上げると、刃１０，１０が深く紙２１に刺さり込んでゆき、良好に紙２１を片手で切断することができるものとなる。
なお、紙２１を切る時に勢いに任せて、上方への過剰な力が加わると、各刃１０は切込溝９ｂを介して、独立して持ち上がることができるために、上方への過剰な力を良好に逃がすことができ、紙切板８自体が持ち上がってしまうことがなくなる。
なお、各切込溝９ｂの前端側は、僅かに隙間が形成されて、各刃１０が上下方向に動き易いようにされている。
【００１０】
なお、各刃１０のピッチは３ｍｍ程度と極めて細かいピッチで形成されているため、紙２１を切断する時に、縦方向に紙２１が裂けることがなく、良好に紙２１を切断することができるものである。
即ち、本例では裏側に形成されている刃１０の各突起１０ｂが最初に紙２１に刺さり込んで、切れ始めのきっかけを作ることができ、紙２１が滑ることなく、良好に片手で紙２１を切ることができるものである。
【００１１】
なお、図９の平面図で、図１０の正面図で、図１１の裏面図で示すものは変更例であり、この図９〜図１１に示すものは、各刃１０の上面前端の左右側をアール形状に形成したものである。
このように、各刃１０をアール形状にすることにより、各刃１０の劣化が良好に防がれて、刃１０の耐久性が高められるものとなる。
【００１２】
更に、図１２の平面図で、図１３の正面図で、図１４の裏面図で示す変更例では、各切込溝９ｂ，９ｂの隙間を無くし、ピッチを細かくして各刃１０を形成したものであり、このような形状では、各刃１０のピッチを細かくすることができるため、縦方向に紙２１が裂けるのを防いで、良好に切断できるものとなる。
【００１３】
更に、図１５の平面図で、図１６の正面図で、図１７の裏面図で示す変更例においては、裏側の各楔状凹部９ｃの後端を、アール状に形成したものであり、このような形状にすることにより、紙２１が縦方向に裂けるのを確実に防ぐことができるものとなる。
【００１４】
【発明の効果】
本発明の紙切板は、ロールペーパーから引き出された紙を切断するために、紙切板の前端縁に沿って多数列設される刃が、樹脂で形成され、それぞれの刃は、正面から見て、水平面を成す上面の左右両端から下方の紙側に向かって傾斜し、下端が紙に刺さり込む鋭利な突起を形成していることにより、ロールペーパーから紙を引き出す際には、接触面積が少なく良好に紙を引き出すことができ、紙を切断する際には、最初に鋭利な突起が紙に刺さり込んで、切り始めのきっかけを作ることができ、紙が滑ることなく良好に切断することができるものとなる。また、樹脂材で形成されているため安心である。
【００１５】
また、刃と刃の間の上面には、後方側へ向かって切込溝が形成されて、各刃が独立して上方へ持ち上がるように構成したことにより、各刃が独立して上方へ持ち上がるために、紙を切る時に過剰な力が加わっても良好に力を逃がすことができ、紙切板が持ち上がってしまうことがなく、片手で良好に紙を切断できるものとなる。
【００１６】
また、上記刃を設けた紙切板を備えた紙巻器は、片手で良好に紙を切断でき、使い勝手が良好なものとなる。
【００１７】
また、紙切板が、ロールペーパーの上面に加圧される加圧式であることにより、片手で紙切板を押さえつつもう一方の手で紙を切る必要がなく、片手で良好に紙を切断できるものとなる。
【図面の簡単な説明】
【図１】紙巻器の縦断面構成図である。
【図２】刃板を斜め上方から見た斜視構成図である。
【図３】図２の拡大構成図である。
【図４】刃板を斜め下方から見上げた斜視構成図である。
【図５】刃板を裏返した斜視構成図である。
【図６】刃板の平面構成図である。
【図７】刃板の正面構成図である。
【図８】刃板の裏面図である。
【図９】変更例を示す刃板の平面構成図である。
【図１０】変更例を示す刃板の正面構成図である。
【図１１】変更例を示す刃板の裏面図である。
【図１２】別の変更例を示す刃板の平面構成図である。
【図１３】図１２の正面構成図である。
【図１４】図１２の裏面構成図である。
【図１５】別の変更例を示す刃板の平面構成図である。
【図１６】図１５の正面構成図である。
【図１７】図１５の裏面構成図である。
【符号の説明】
１　　紙巻器
２　　背板
４　　天板
５　　側版
６　　支持アーム
７　　回動軸
８　　紙切板
８ａ　　嵌合溝
９　　刃板
９ａ　　上面
９ｂ　　切込溝
９ｃ　　裏楔状凹部
１０　　刃
１０ａ　　三角状面
１０ｂ　　突起
１０ｃ　　傾斜面
２０　　ロールペーパー
２１　　紙
【図１】
2004081630.tif 000003
【図２】
2004081630.tif 000004
【図３】
2004081630.tif 000005
【図４】
2004081630.tif 000006
【図５】
2004081630.tif 000007
【図６】
2004081630.tif 000008
【図７】
2004081630.tif 000009
【図８】
2004081630.tif 000010
【図９】
2004081630.tif 000011
【図１０】
2004081630.tif 000012
【図１１】
2004081630.tif 000013
【図１２】
2004081630.tif 000014
【図１３】
2004081630.tif 000015
【図１４】
2004081630.tif 000016
【図１５】
2004081630.tif 000017
【図１６】
2004081630.tif 000018
【図１７】
2004081630.tif 000019